(57)【要約】      （修正有）【課題】締結部材を利用した構成要素の導通を実現することが可能なモータ、送風装置及び掃除機を提供する。【解決手段】モータは、上下に延びる中心軸回りに回転するロータと、前記ロータと径方向に対向するステータと、前記ステータと電気的に接続される回路基板と、前記ロータ及び前記ステータの少なくとも一部を内包するハウジング４０と、前記回路基板と前記ハウジングとを締結させる締結部材８０と、を有し、前記回路基板は、前記締結部材が接続される締結部材接続部と、前記締結部材接続部と電気的に接続されるグラウンド端子部と、を有し、前記締結部材と前記ハウジングとの締結領域は、前記締結部材と前記ハウジングとが充填剤を介して対向する第１領域９１と、前記締結部材と前記ハウジングとが直接対向する第２領域９２と、を有する。【選択図】図６
2019129543.tif 000002
【特許請求の範囲】
【請求項１】
上下に延びる中心軸回りに回転するロータと、
前記ロータと径方向に対向するステータと、
前記ステータと電気的に接続される回路基板と、
前記ロータ及び前記ステータの少なくとも一部を内包するハウジングと、
前記回路基板と前記ハウジングとを締結させる締結部材と、
を有し、
前記回路基板は、
前記締結部材が接続される締結部材接続部と、
前記締結部材接続部と電気的に接続されるグラウンド端子部と、
を有し、
前記締結部材と前記ハウジングとの締結領域は、
前記締結部材と前記ハウジングとが充填剤を介して対向する第１領域と、
前記締結部材と前記ハウジングとが直接対向する第２領域と、
を有する、モータ。
【請求項２】
前記第２領域は、前記締結領域において、前記締結部材による締結方向の全域にわたって延びる、請求項１に記載のモータ。
【請求項３】
前記第１領域は、前記締結領域において、前記締結部材による締結方向の全域にわたって延びる、請求項１または請求項２に記載のモータ。
【請求項４】
前記締結部材は、前記充填剤が付着した付着領域を有し、
前記付着領域の前記締結方向の長さは、前記締結領域の前記締結方向の長さよりも長い、請求項３に記載のモータ。
【請求項５】
前記第１領域における前記締結部材による締結方向に直交する周方向の長さは、前記締結方向において一定である、請求項１から請求項４のいずれかに記載のモータ。
【請求項６】
前記第１領域における前記締結部材による締結方向に直交する周方向の両端は、前記締結方向と平行に延びる、請求項１から請求項５のいずれかに記載のモータ。
【請求項７】
前記第１領域における前記締結部材による締結方向に直交する周方向の長さは、前記締結方向の中央部に向かうにつれて長くなる、請求項１から請求項４のいずれかに記載のモータ。
【請求項８】
前記第１領域は、前記第２領域よりも広い、請求項１から請求項７のいずれかに記載のモータ。
【請求項９】
前記回路基板は、前記ハウジングよりも前記締結部材による締結方向の後方に配置される、請求項１から請求項８のいずれかに記載のモータ。
【請求項１０】
前記充填剤の色は、前記締結部材の色と異なる色である、請求項１から請求項９のいずれかに記載のモータ。
【請求項１１】
前記締結部材の締結方向の前端部は、前記充填剤が付着していない非付着領域である、請求項１から請求項１０のいずれかに記載のモータ。
【請求項１２】
複数の前記締結部材を有し、
複数の前記締結部材それぞれの前記締結領域は、前記第１領域及び前記第２領域を有する、請求項１から請求項１１のいずれかに記載のモータ。
【請求項１３】
請求項１から請求項１２のいずれかに記載のモータを有する、送風装置。
【請求項１４】
請求項１から請求項１２のいずれかに記載のモータを有する、掃除機。
【発明の詳細な説明】
【技術分野】
【０００１】
本発明は、モータ、送風装置及び掃除機に関する。
【背景技術】
【０００２】
従来の、締結構造体を備える電動機が、特許文献１に開示されている。特許文献１で開示された電動機は、締結具の緩みを防止するための接着剤が塗布された雄ネジを有する締結具と、貫通孔を有する第１の構成部品と、ねじ穴を有する第２の構成部品と、を有する。第１の構成部品及び第２の構成部品は、締結具によって互いに締結される。そして、第１の構成部品及び第２の構成部品の少なくとも一方は、締結具から剥離した接着剤を収容する収容部を有する。これにより、締結具から剥離した接着剤に起因する組立精度の低下を防止することができる。
【先行技術文献】
【特許文献】
【０００３】
【特許文献１】特開２０１４−７８９０公報
【発明の概要】
【発明が解決しようとする課題】
【０００４】
特許文献１で開示された従来の電動機では、締結具と、第１の構成部品または第２の構成部品とを導通させたい場合に、接着剤が絶縁膜となり、導通が不十分になることが課題であった。
【０００５】
上記の点に鑑み、本発明は、締結部材を利用した構成要素の導通を実現することが可能なモータ、送風装置及び掃除機を提供することを目的とする。
【課題を解決するための手段】
【０００６】
本発明の例示的なモータは、上下に延びる中心軸回りに回転するロータと、前記ロータと径方向に対向するステータと、前記ステータと電気的に接続される回路基板と、前記ロータ及び前記ステータの少なくとも一部を内包するハウジングと、前記回路基板と前記ハウジングとを締結させる締結部材と、を有し、前記回路基板は、前記締結部材が接続される締結部材接続部と、前記締結部材接続部と電気的に接続されるグラウンド端子部と、を有し、前記締結部材と前記ハウジングとの締結領域は、前記締結部材と前記ハウジングとが充填剤を介して対向する第１領域と、前記締結部材と前記ハウジングとが直接対向する第２領域と、を有する。
【０００７】
本発明の例示的な送風装置は、上記構成のモータを有する。
【０００８】
本発明の例示的な掃除機は、上記構成のモータを有する。
【発明の効果】
【０００９】
本発明の例示的なモータ、送風装置及び掃除機によれば、回路基板とハウジングとの導通を実現することが可能である。
【図面の簡単な説明】
【００１０】
【図１】図１は、本発明の実施形態に係るモータの一例の全体斜視図である。
【図２】図２は、本発明の実施形態に係るモータの縦断面図である。
【図３】図３は、モータの回路基板の平面図である。
【図４】図４は、モータの締結部材周辺の縦断面図である。
【図５】図５は、モータの締結部材周辺の斜視図である。
【図６】図６は、モータの締結部材周辺の縦断面斜視図である。
【図７】図７は、モータの締結部材周辺の分解斜視図である。
【図８】図８は、モータの変形例の締結部材周辺の分解斜視図である。
【図９】図９は、モータの変形例の締結部材の斜視図である。
【図１０】図１０は、本発明の実施形態に係る送風装置の縦断面図である。
【図１１】図１１は、本発明の実施形態に係る掃除機の斜視図である。
【発明を実施するための形態】
【００１１】
以下、本発明の例示的な実施形態について、図面を参照しながら詳細に説明する。本書では、モータの中心軸が延びる方向を単に「軸方向」と呼び、モータの中心軸を中心として中心軸と直交する方向を単に「径方向」と呼び、モータの中心軸を中心とする円弧に沿う方向を単に「周方向」と呼ぶ。送風装置の中心軸は、モータの中心軸に一致する。また、本書では、説明の便宜上、軸方向を上下方向とし、図２及び図１０における上下方向をモータ及び送風装置の上下方向として各部の形状及び位置関係を説明する。モータ及び送風装置の「上側」が「吸気側」であり、「下側」が「排気側」である。なお、この上下方向の定義は、モータ及び送風装置の使用時の向き及び位置関係を限定するものではない。
【００１２】
また、本書では、掃除機に関して、床面に近づく方向を「下」と呼び、床面から離れる方向を「上」と呼び、各部の形状及び位置関係を説明する。なお、これらの方向の定義は、掃除機の使用時の向き及び位置関係を限定するものではない。また、送風装置を駆動させた際に吸気側から排気側へと流れる空気の流通方向に関して、「上流側」、「下流側」として位置関係を説明する場合がある。また、本書で用いる「平行」、「垂直」は、厳密な意味で平行、垂直を表すものではなく、略平行、略垂直を含む。
【００１３】
＜１．モータの構成＞
＜１−１．モータの概略構成＞
図１は、本発明の実施形態に係るモータ１の一例の全体斜視図である。図２は、本発明の実施形態に係るモータ１の縦断面図である。モータ１は、ロータ２０と、ステータ３０と、ハウジング４０と、回路基板６０と、締結部材８０と、を有する。モータ１は、シャフト１０と、軸受５０と、をさらに有する。
【００１４】
シャフト１０は、上下に延びる中心軸Ｃに沿って配置される。シャフト１０は、例えば金属で構成される上下に延びる柱状の部材である。シャフト１０は、軸受５０によって、ハウジング４０に対して中心軸Ｃ回りに回転可能に支持される。
【００１５】
ロータ２０は、ステータ３０の径方向内方に配置される。ロータ２０は、シャフト１０に固定される。ロータ２０は、上下に延びる中心軸Ｃ回りに回転する。ロータ２０は、マグネット２１と、上側固定部材２２と、下側固定部材２３と、を有する。
【００１６】
マグネット２１は、円筒状であり、内側に挿入されたシャフト１０に固定される。上側固定部材２２及び下側固定部材２３は、筒状である。上側固定部材２２及び下側固定部材２３は、マグネット２１を上下から挟み込み、シャフト１０に固定される。
【００１７】
ステータ３０は、ロータ２０の径方向外方、且つハウジング４０の径方向内方に配置される。ステータ３０は、ロータ２０と径方向に対向する。ステータ３０は、ステータコア３１と、上側インシュレータ３２と、下側インシュレータ３３と、コイル３４と、を有する。
【００１８】
ステータコア３１は、環状のコアバック部３１１と、複数のティース部３１２と、を有する。コアバック部３１１は、中心軸Ｃを中心とした環状である。複数のティース部３１２は、コアバック部３１１の内周面から径方向内方に向かって延びる。複数のティース部３１２は、周方向に所定間隔で配列される。ステータコア３１は、複数のコアピースを接合して構成しても良い。ステータコア３１は、複数枚の電磁鋼板を上下に積層して構成しても良い。
【００１９】
上側インシュレータ３２は、ステータコア３１の上面と側面の一部を覆う絶縁部材である。下側インシュレータ３３は、ステータコア３１の下面と側面の一部を覆う絶縁部材である。上側インシュレータ３２及び下側インシュレータ３３は、複数のティース部３１２それぞれを個別に軸方向に挟み込んで覆う。
【００２０】
コイル３４は、複数のティース部３１２それぞれにおいて、上側インシュレータ３２及び下側インシュレータ３３の周囲に巻き回された導線で構成される。すなわち、ティース部３１２と、コイル３４との間には、上側インシュレータ３２及び下側インシュレータ３３が介在する。これにより、ティース部３１２と、コイル３４とは、互いに電気的に絶縁される。
【００２１】
ハウジング４０は、ロータ２０及びステータ３０の少なくとも一部を内包する。ハウジング４０は、例えば金属で構成される。ハウジング４０は、円筒部４１と、下蓋部４２と、を有する。
【００２２】
円筒部４１は、下方に開口する。円筒部４１は、筒状部４１１と、上蓋部４１２と、複数の窓部４１３と、を有する。筒状部４１１は、ステータ３０の径方向外方に配置される。筒状部４１１は、中心軸Ｃを中心として上下に延びる。上蓋部４１２は、筒状部４１１の上端に配置される。上蓋部４１２は、中心軸Ｃを中心として径方向に拡がる円板状である。上蓋部４１２は、筒状部４１１と一体として構成される。窓部４１３は、円筒部４１の上部に配置される。複数の窓部４１３それぞれは、周方向に所定間隔で配置される。窓部４１３は、周方向及び軸方向のそれぞれにおいて所定長さを有し、筒状部４１１及び上蓋部４１２を内外に貫通する。
【００２３】
上蓋部４１２は、軸受保持部４１２ａを有する。軸受保持部４１２ａは、上蓋部４１２の中心軸Ｃ付近であって、上蓋部４１２の中央部に配置される。軸受保持部４１２ａは、上蓋部４１２の天井部から上側に凹状に窪んだカップ形状である。軸受保持部４１２ａの内面には、１個の軸受５０が保持される。
【００２４】
下蓋部４２は、円筒部４１の下端に取り付けられる。下蓋部４２は、中心軸Ｃを中心として径方向に拡がる円板状である。下蓋部４２は、軸受保持部４２ａを有する。軸受保持部４２ａは、下蓋部４２の中心軸Ｃ付近であって、下蓋部４２の中央部に配置される。軸受保持部４２ａは、下蓋部４２の内底部から下側に凹状に窪んだカップ形状である。軸受保持部４２ａの内面には、１個の軸受５０が保持される。
【００２５】
軸受５０は、軸方向上下一対で配置される。上側の軸受５０は、上蓋部４１２の軸受保持部４１２ａに保持される。下側の軸受５０は、下蓋部４２の軸受保持部４２ａに保持される。軸受５０は、例えばボールベアリングで構成されるが、スリーブ軸受などによって構成されても良い。上下一対の軸受５０は、シャフト１０を、ハウジング４０に対して中心軸Ｃ回りに回転可能に支持する。すなわち、シャフト１０及びロータ２０は、ステータ３０に対して中心軸Ｃ回りに回転可能に支持される。
【００２６】
回路基板６０は、ハウジング４０の下蓋部４２の下側に配置される。回路基板６０は、周方向に複数配列されたスペーサ７１及び締結部材８０を用いて、下蓋部４２に対して下側に所定の距離を空けて固定される。回路基板６０は、例えばエポキシ等の樹脂で構成される。回路基板６０は、モータ１の駆動回路（不図示）が実装される。回路基板６０は、ステータ３０と電気的に接続される。
【００２７】
上記構成のモータ１において、回路基板６０を介して、コイル３４に駆動電流が供給されると、ステータコア３１に径方向の磁束が生じる。ステータ３０の磁束によって生じる磁界と、マグネット２１によって生じる磁界とが作用し、ロータ２０の周方向にトルクが生じる。このトルクによって、ロータ２０が、中心軸Ｃを中心として回転する。
【００２８】
＜１−２．回路基板の詳細構成＞
図３は、モータ１の回路基板６０の平面図である。回路基板６０は、締結部材接続部６２と、グラウンド端子部６３と、を有する。
【００２９】
回路基板６０は、回路パターン６１を有する。回路パターン６１は、回路基板６０の表面に沿って様々な方向に延びる。回路パターン６１は、回路基板６０に実装された電子部品（不図示）、端子（不図示）等を電気的に接続する。一部の回路パターン６１Ａは、締結部材接続部６２と、グラウンド端子部６３とを電気的に接続する。すなわち、締結部材接続部６２と、グラウンド端子部６３とは電気的に接続される。
【００３０】
締結部材接続部６２は、例えば回路パターン６１Ａの一端に配置される。グラウンド端子部６３は、例えば回路パターン６１Ａの他端に配置される。締結部材接続部６２は、回路基板６０を上下に貫通する貫通孔６２ａを有する。
【００３１】
＜１−３．締結部材周辺の詳細構成＞
図４は、モータ１の締結部材８０周辺の縦断面図である。図５は、モータ１の締結部材８０周辺の斜視図である。図６は、モータ１の締結部材８０周辺の縦断面斜視図である。図７は、モータ１の締結部材８０周辺の分解斜視図である。なお、図５、図６及び図７では、説明の便宜上、ハウジング４０の下蓋部４２及び締結部材８０のみを描画し、他の部材の描画を省略した。
【００３２】
締結部材８０は、例えばねじである。締結部材８０は、例えばリベットであっても良い。本実施形態においては、締結部材８０は、頭部８１と、軸部８２と、雄ねじ部８３と、を有する。雄ねじ部８３は、軸部８２の先端から、軸部８２の略全域にわたって形成される。締結部材８０は、導電性の材料で構成される。
【００３３】
締結部材８０は、回路基板６０の締結部材接続部６２に配置される。つまり、締結部材８０は、締結部材接続部６２に接続される。締結部材８０は、締結部材接続部６２の貫通孔６２ａに、回路基板６０の下側から挿入される。締結部材８０の頭部８１と、回路基板６０の下面である締結部材接続部６２との間には、ワッシャ７２が介在する。ワッシャ７２は、導電性の材料で構成される。これにより、貫通孔６２ａに挿入された締結部材８０は、ワッシャ７２を介して、締結部材接続部６２と接触する。すなわち、締結部材８０は、締結部材接続部６２と電気的に接続される。
【００３４】
スペーサ７１は、回路基板６０と、ハウジング４０の下蓋部４２との間に配置される。スペーサ７１は、スペーサ７１を上下に貫通する貫通孔７１ａを有する。締結部材８０は、貫通孔７１ａに、スペーサ７１の下側から挿入される。
【００３５】
ハウジング４０の下蓋部４２は、下蓋部４２を上下に貫通する孔部４２ｂを有する。孔部４２ｂは、内周面に雌ねじ部４２ｃを有する。締結部材８０は、孔部４２ｂに、下蓋部４２の下側から挿入される。締結部材８０の雄ねじ部８３は、孔部４２ｂの雌ねじ部４２ｃに結合される。これにより、締結部材８０は、回路基板６０と、ハウジング４０とを締結させる。
【００３６】
なお、上記のように、締結部材８０は、軸方向と平行に、回路基板６０の下側から上側に向かって回路基板６０及びスペーサ７１に挿入され、ハウジング４０に結合される。すなわち、図４に矢線で示した締結部材８０の締結方向Ｂｄは、軸方向と平行に、回路基板６０の下側から上側に向かう方向である。そして、締結部材８０の締結方向Ｂｄに関して、基準位置よりも上方が「締結方向Ｂｄの前方」であり、基準位置よりも下方が「締結方向Ｂｄの後方」である。なお、締結部材８０の締結方向Ｂｄは、軸方向と平行でなくても良い。
【００３７】
締結部材８０が結合されたハウジング４０の孔部４２ｂの領域（図４の二点鎖線で囲まれた領域）は、締結部材８０とハウジング４０との締結領域９０と呼ばれる。締結領域９０は、第１領域９１と、第２領域９２と、を有する。
【００３８】
第１領域９１は、締結部材８０とハウジング４０とが充填剤７３を介して対向する。充填剤７３は、例えば締結部材８０の緩み止め剤、接着剤などで構成される。充填剤７３は、締結部材８０の雄ねじ部８３と、ハウジング４０の雌ねじ部４２ｃとの間の隙間に充填される。これにより、締結部材８０の緩みを防止することができる。
【００３９】
第２領域９２は、充填剤７３が存在しない。すなわち、第２領域９２は、締結部材８０とハウジング４０とが直接対向する。これにより、締結部材８０は、ハウジング４０と電気的に接続される。
【００４０】
上記実施形態の構成によれば、回路基板６０とハウジング４０との導通を実現することが可能である。つまり、モータ１が第２領域９２を有することによって、締結部材８０とハウジング４０とが、より信頼性高く導通される。また、モータ１が第１領域９１を有することによって、締結部材８０の緩みを抑制することができる。
【００４１】
第２領域９２は、ハウジング４０の孔部４２ｂの下端から上端まで、上下方向の全域にわたって延びる。すなわち、第２領域９２は、締結領域９０において、締結部材８０による締結方向Ｂｄの全域にわたって延びる。この構成によれば、締結領域９０において、締結部材８０による締結方向Ｂｄの全域にわたって、導通可能な領域を確保することができる。したがって、締結部材８０とハウジング４０とが、より信頼性高く導通される。
【００４２】
第１領域９１は、ハウジング４０の孔部４２ｂの下端から上端まで、上下方向の全域にわたって延びる。すなわち、第１領域９１は、締結領域９０において、締結部材８０による締結方向Ｂｄの全域にわたって延びる。この構成によれば、締結領域９０において、締結部材８０による締結方向Ｂｄの全域にわたって、締結部材８０の緩み止めが可能な領域を確保することができる。したがって、締結部材８０とハウジング４０とを、より強固に固定することができる。
【００４３】
なお、充填剤７３は、締結部材８０がハウジング４０の孔部４２ｂに挿入される前に、締結部材８０の雄ねじ部８３に予め付着される。締結部材８０によって回路基板６０とハウジング４０とが締結されると、充填剤７３は、ハウジング４０の雌ねじ部４２ｃに接触し、締結部材８０とハウジング４０との間に介在することとなる。
【００４４】
このように、締結部材８０は、充填剤７３が付着した付着領域８４を有する。付着領域８４の締結方向Ｂｄの中央部の位置は、締結領域９０の締結方向Ｂｄの中央部の位置に一致する。締結領域９０において、付着領域８４は、第１領域９１を含み、締結領域９０外に及ぶ領域である。すなわち、付着領域８４の締結方向Ｂｄの長さは、締結領域９０の締結方向Ｂｄの長さよりも長い。この構成によれば、締結部材８０に対するハウジング４０の位置が、締結方向Ｂｄにおいてずれた場合でも、締結部材８０の緩み止めが可能な領域を確保することができる。
【００４５】
締結部材８０の締結方向Ｂｄの前端部は、充填剤７３が付着していない非付着領域８５である。この構成によれば、締結部材８０の必要な部分のみに緩み止め剤を配置することができる。したがって、コストアップを抑制することが可能である。
【００４６】
充填剤７３の色は、例えば青色である。一方、ねじである締結部材８０の色は、例えば銀色である。締結部材８０の色は、例えば耐食性を高めるためのメッキによる黒色などとしても良い。このように、充填剤７３の色は、締結部材８０の色と異なる色である。この構成によれば、締結領域９０の第１領域９１の視認性を高めることができる。したがって、第１領域９１を容易に形成することが可能である。
【００４７】
締結部材８０は、回路基板６０とハウジング４０との締結状態を解除し、取り外すことができる。このとき、充填剤７３の大部分は、締結部材８０の雄ねじ部８３と、ハウジング４０の雌ねじ部４２ｃとのそれぞれに残留する。そして、締結部材８０の雄ねじ部８３と、ハウジング４０の雌ねじ部４２ｃとのそれぞれを見れば、締結領域９０の第１領域９１と、第２領域９２とのそれぞれの存在を確認することが可能である。
【００４８】
締結領域９０の第１領域９１は、径方向から見て矩形状である。矩形状の第１領域９１の左右の二辺は締結方向Ｂｄと平行であり、上下の二辺は締結方向Ｂｄに直交する周方向と平行である。すなわち、第１領域９１における締結部材８０による締結方向Ｂｄに直交する周方向の長さは、締結方向Ｂｄにおいて一定である。さらに、第１領域９１における締結部材８０による締結方向Ｂｄに直交する周方向の両端は、締結方向Ｂｄと平行に延びる。これらの構成によれば、締結方向Ｂｄの全域にわたって締結部材８０の緩み止め効果を安定させることが可能である。また、締結方向Ｂｄの全域にわたって、締結部材８０とハウジング４０とを、できるだけ均一な締結力で固定できる。
【００４９】
締結領域９０の第１領域９１及び第２領域は、互いにハウジング４０の孔部４２ｂの上下方向において、全域にわたって延び、長さが同じである。一方、締結領域９０の第１領域９１は、孔部４２ｂの周方向において、第２領域９２よりも長い。すなわち、第１領域９１は、第２領域９２よりも広い。この構成によれば、回路基板６０とハウジング４０との導通を確保し、且つ締結部材８０とハウジング４０との緩み止め効果を向上させることができる。
【００５０】
回路基板６０は、ハウジング４０よりも下側に配置される。すなわち、回路基板６０は、ハウジング４０よりも締結部材８０による締結方向Ｂｄの後方に配置される。この構成によれば、ハウジング４０に対する回路基板６０の取り付けを容易に行うことができる。
【００５１】
締結部材８０は、中心軸Ｃを中心とする周方向の３箇所に配置される。すなわち、モータ１は、複数の締結部材８０を有する。本実施形態においては、締結部材８０の数は、３本である。複数の締結部材８０は、周方向に互いに所定間隔を空けて配列される。ハウジング４０は、複数の締結部材８０と同数の複数の孔部４２ｂを有する。複数の締結部材８０はそれぞれ、個別に孔部４２ｂに結合される。複数の締結部材８０はそれぞれ、個別に締結領域９０を有する。複数の締結部材８０それぞれの締結領域９０は、第１領域９１と、第２領域９２と、を有する。この構成によれば、回路基板６０及びハウジング４０の複数箇所において導通可能な領域を確保することができる。
【００５２】
＜１−４．モータの変形例＞
図８は、モータ１の変形例の締結部材８０周辺の分解斜視図である。図９は、モータ１の変形例の締結部材８０の斜視図である。締結部材８０は、充填剤７３が付着した付着領域８６を有する。付着領域８６は、径方向から見て楕円形状である。楕円形状の付着領域８６の長軸は締結方向Ｂｄと平行であり、短軸は締結方向Ｂｄに直交する周方向と平行である。付着領域８６の締結方向Ｂｄの中央部の位置は、締結部材８０とハウジング４０との締結領域９０の締結方向Ｂｄの中央部の位置に一致する。
【００５３】
締結領域９０は、第１領域９３と、第２領域９４と、を有する。第１領域９３は、径方向から見て樽型形状である。すなわち、第１領域９３における締結部材８０による締結方向Ｂｄに直交する周方向の長さは、締結方向Ｂｄの中央部に向かうにつれて長くなる。この構成によれば、締結領域９０の、締結方向Ｂｄの中央部で緩み止め剤の領域が広くなるため、締結部材８０の緩み止め効果を向上させることができる。また、例えばスプレー等による緩み止め剤の噴射により、緩み止め剤の付着領域８６を容易に形成することが可能である。
【００５４】
＜２．送風装置の構成＞
図１０は、本発明の実施形態に係る送風装置１００の縦断面図である。送風装置１００は、上記構成のモータ１を有する。さらに、送風装置１００は、インペラ１１０と、インペラカバー１２０と、を有する。
【００５５】
＜２−１．インペラの構成＞
インペラ１１０は、インペラカバー１２０の内側に配置される。インペラ１１０は、モータ１のシャフト１０に固定される。インペラ１１０は、上下に延びる中心軸Ｃ回りに、シャフト１０とともに回転する。
【００５６】
インペラ１１０は、例えば金属部材で構成され、軸方向から見て、円形である。インペラ１１０は、ベース板１１１と、複数の羽根１１２と、シュラウド１１３と、ハブ１１４と、を有する。
【００５７】
ベース板１１１は、インペラ１１０の下部に配置される。ベース板１１１は、中心軸Ｃに対して径方向に拡がる。ベース板１１１は、円板状部材である。ベース板１１１は、羽根１１２の下部を支持する。
【００５８】
羽根１１２は、ベース板１１１の上面に配置される。羽根１１２は、複数（例えば１２枚）が、ベース板１１１の上面において周方向に配列される。複数の羽根１１２のそれぞれの下部は、ベース板１１１に接続される。複数の羽根１１２それぞれの上部は、シュラウド１１３に接続される。羽根１１２は、上下に起立する板状部材である。羽根１１２は、径方向内方から径方向外方に向かって延び、周方向に湾曲する。
【００５９】
シュラウド１１３は、複数の羽根１１２の上側に配置される。シュラウド１１３は、軸方向から見て、径方向内端及び径方向外端がそれぞれ円形の、環状の板状部材である。シュラウド１１３は、径方向内端と径方向外端との略中間部に対して、径方向外端側がベース板１１１と軸方向に平行であり、径方向内端側が上方に向かって湾曲する。シュラウド１１３は、上下に開口する吸気口１１３ａを有する。吸気口１１３ａは、シュラウド１１３の径方向中心部に配置される。シュラウド１１３は、吸気口１１３ａ付近において円筒状である。シュラウド１１３は、羽根１１２の上部を支持する。
【００６０】
ハブ１１４は、ベース板１１１の上面において、径方向中心部に配置される。ハブ１１４は、軸方向から見て円形である。ハブ１１４は、ボス部１１４ａと、フランジ部１１４ｂと、を有する。ボス部１１４ａは、ハブ１１４の径方向中心部に配置され、軸方向に延びる円筒形状である。フランジ部１１４ｂは、ボス部１１４ａの外周面から径方向外方に拡がる円板形状である。
【００６１】
ボス部１１４ａの下部は、ベース板１１１を上下に貫通し、ベース板１１１に固定される。フランジ部１１４ｂの下面は、ベース板１１１の上面に接触する。シャフト１０は、ボス部１１４ａの中央において、中心軸Ｃに沿って上下に貫通し、ボス部１１４ａに固定される。このようにして、インペラ１１０は、シャフト１０に固定される。
【００６２】
＜２−２．インペラカバーの構成＞
インペラカバー１２０は、モータ１の上側に配置される。インペラカバー１２０は、インペラ１１０を内包する。インペラカバー１２０は、上側カバー１２１と、下側カバー１２２と、を有する。
【００６３】
上側カバー１２１は、インペラ１１０及び下側カバー１２２の上側に配置される。上側カバー１２１は、上方に向かって先細りの円筒形状である。上側カバー１２１の外周部の下部は、下側カバー１２２の外周部の上部に固定される。
【００６４】
上側カバー１２１は、上下に開口する吸気口１２１ａを有する。吸気口１２１ａは、上側カバー１２１の上端部であって、径方向中心部に配置される。上側カバー１２１の吸気口１２１ａの下部は、シュラウド１１３の吸気口１１３ａの上部と径方向に重なる。上側カバー１２１の吸気口１２１ａの下部の外径は、シュラウド１１３の吸気口１１３ａの上部の内径よりも小さい。
【００６５】
下側カバー１２２は、インペラ１１０及び上側カバー１２１の下方であって、モータ１のハウジング４０の上方に配置される。下側カバー１２２は、ハウジング４０に固定される。下側カバー１２２は、天板部１２２１と、環状部１２２２と、凸部１２２３と、を有する。
【００６６】
天板部１２２１は、中心軸Ｃに対して径方向に拡がる。天板部１２２１は、軸方向から見て円形である。
【００６７】
環状部１２２２は、天板部１２２１の径方向外方に配置される。環状部１２２２は、軸方向から見て円環形状である。環状部１２２２は、内周壁１２２２ａと、外周壁１２２２ｂと、を有する。内周壁１２２２ａ及び外周壁１２２２ｂは、ともに円筒形状である。
【００６８】
環状部１２２２は、内周壁１２２２ａと、外周壁１２２２ｂとの間に隙間部１２２２ｃを有する。内周壁１２２２ａの上端は、天板部１２２１の外周端と接続される。外周壁１２２２ｂの上端は、上側カバー１２１と接続される。これにより、隙間部１２２２ｃの上部は、インペラ１１０を内包する上側カバー１２１の内側空間と連通する。
【００６９】
内周壁１２２２ａは、上側に向かって先細りの円筒形状である。内周壁１２２２ａの下部は、ハウジング４０の円筒部４１の上側に位置する。
【００７０】
外周壁１２２２ｂは、複数の窓部１２２２ｄを有する。窓部１２２２ｄは、外周壁１２２２ｂの下部に配置される。複数の窓部１２２２ｄそれぞれは、周方向に所定間隔で配列される。窓部１２２２ｄは、周方向及び軸方向のそれぞれにおいて所定長さを有し、外周壁１２２２ｂを内外に貫通する。これにより、隙間部１２２２ｃの下部は、送風装置１００の外部と連通する。
【００７１】
凸部１２２３は、周方向に隣り合う窓部１２２２ｄの間に配置される。すなわち、窓部１２２２ｄと同数の複数の凸部１２２３が、周方向に所定間隔で配列される。さらに、複数の凸部１２２３は、ハウジング４０の複数の窓部４１３と同数であり、周方向において複数の窓部４１３と同じ位置に配置される。
【００７２】
凸部１２２３は、環状部１２２２の下部から下方に向かって延びる。凸部１２２３は、径方向内方に凹部１２２３ａを有する。凹部１２２３ａは、環状部１２２２の内周壁１２２２ａを上下に貫通する。凹部１２２３ａの上部は、隙間部１２２２ｃと接続される。凹部１２２３ａの下部は、ハウジング４０の窓部４１３と接続される。これにより、凹部１２２３ａは、隙間部１２２２ｃと、ハウジング４０の内側空間とを連通させる。
【００７３】
インペラ１１０がモータ１によって回転駆動されると、空気はインペラカバー１２０の吸気口１２１ａからインペラ１１０の内部に吸い込まれる。インペラ１１０の内部に吸い込まれた空気は、インペラ１１０によって径方向外方へと案内され、さらにインペラ１１０の径方向外方に向かって吹き出される。インペラ１１０の径方向外方に吹き出された空気は、環状部１２２２の隙間部１２２２ｃに送られる。隙間部１２２２ｃを通過した空気の一部は、窓部１２２２ｄから送風装置１００の外部に排出される。また、隙間部１２２２ｃを通過した空気の一部は、凸部１２２３の凹部１２２３ａ及びハウジング４０の窓部４１３からハウジング４０の内部へと送られる。
【００７４】
上記構成の送風装置１００は、モータ１を有する。これにより、送風装置１００において、モータ１の回路基板６０とハウジング４０とを、締結部材８０によって信頼性高く導通させることが可能である。また、回路基板６０とハウジング４０とを、強固に固定することができる。
【００７５】
＜３．掃除機の構成＞
図１１は、本発明の実施形態に係る掃除機２００の斜視図である。掃除機２００は、上記構成の送風装置１００を有する。すなわち、掃除機２００は、上記構成のモータ１を有する。掃除機２００は、いわゆるスティック型の電気掃除機である。なお、掃除機２００はいわゆるロボット型、キャニスター型またはハンディ型等のいずれの電気掃除機でも良い。
【００７６】
掃除機２００は、下面及び上面にそれぞれ吸気部２０２及び排気部２０３を開口する筐体２０１を有する。掃除機２００は、筐体２０１の内部にバッテリ（不図示）を有し、当該バッテリから供給される電力によって作動する。なお、掃除機２００は、電源コードを有し、居室の壁面に設けられた電源コンセントに接続された電源コードを介して供給される電力によって作動することにしても良い。
【００７７】
筐体２０１の内部には、吸気部２０２と排気部２０３とを連結する空気通路（不図示）が設けられる。空気通路の内部には、空気流通方向の上流側から下流側に向かって、集塵部（不図示）、フィルタ（不図示）及び送風装置１００が順に配置される。なお、掃除機２００において、送風装置１００は、吸気口１２１ａが下方を向くように配置される。空気通路の内部を流通する空気に含まれる塵埃等のゴミは、フィルタにより捕集され、容器状の集塵部に貯留される。これにより、掃除機２００は、床面Ｆを清掃することが可能である。なお、集塵部及びフィルタは、筐体２０１に対して着脱可能に構成される。
【００７８】
筐体２０１の上部には、把持部２０４及び操作部２０５が設けられる。使用者は、把持部２０４を把持して掃除機２００を移動させることが可能である。操作部２０５は、複数のボタン２０５ａを有する。使用者は、ボタン２０５ａを操作することで、掃除機２００の動作指示及び動作設定を行うことが可能である。例えば、ボタン２０５ａの操作により、送風装置１００の駆動開始、駆動停止、及び回転数の変更等を指示することが可能である。
【００７９】
吸気部２０２には、略直線状に延びる吸引管２０６の下流端、すなわち図１１における吸引管２０６の上端が接続される。吸引管２０６の上流端、すなわち図１１における吸引管２０６の下端には、吸引ノズル２０７が吸引管２０６に対して着脱可能に取り付けられる。
【００８０】
上記構成の掃除機２００は、モータ１を有する。これにより、掃除機２００において、モータ１の回路基板６０とハウジング４０とを、締結部材８０によって信頼性高く導通させることが可能である。また、回路基板６０とハウジング４０とを、強固に固定することができる。
【００８１】
＜４．その他＞
以上、本発明の実施形態につき説明したが、本発明の範囲はこれに限定されるものではなく、発明の主旨を逸脱しない範囲で種々の変更を加えて実施することができる。また、上記実施形態やその変形例は適宜任意に組み合わせることができる。
【００８２】
また、送風装置１００は、掃除機に限らず、種々のＯＡ機器、医療機器、輸送機器、または掃除機以外の家庭用電気製品などに搭載されても良い。
【産業上の利用可能性】
【００８３】
本発明は、例えば掃除機などの送風装置を有する電気機器において利用可能である。
【符号の説明】
【００８４】
１・・・モータ、１０・・・シャフト、２０・・・ロータ、２１・・・マグネット、２２・・・上側固定部材、２３・・・下側固定部材、３０・・・ステータ、３１・・・ステータコア、３２・・・上側インシュレータ、３３・・・下側インシュレータ、３４・・・コイル、４０・・・ハウジング、４１・・・円筒部、４２・・・下蓋部、４２ａ・・・軸受保持部、４２ｂ・・・孔部、４２ｃ・・・雌ねじ部、５０・・・軸受、６０・・・回路基板、６１・・・回路パターン、６１Ａ・・・回路パターン、６２・・・締結部材接続部、６２ａ・・・貫通孔、６３・・・グラウンド端子部、７１・・・スペーサ、７１ａ・・・貫通孔、７２・・・ワッシャ、７３・・・充填剤、８０・・・締結部材、８１・・・頭部、８２・・・軸部、８３・・・雄ねじ部、８４・・・付着領域、８５・・・非付着領域、８６・・・付着領域、９０・・・締結領域、９１・・・第１領域、９２・・・第２領域、９３・・・第１領域、９４・・・第２領域、１００・・・送風装置、１１０・・・インペラ、１１１・・・ベース板、１１２・・・羽根、１１３・・・シュラウド、１１３ａ・・・吸気口、１１４・・・ハブ、１１４ａ・・・ボス部、１１４ｂ・・・フランジ部、１２０・・・インペラカバー、１２１・・・上側カバー、１２１ａ・・・吸気口、１２２・・・下側カバー、２００・・・掃除機、２０１・・・筐体、２０２・・・吸気部、２０３・・・排気部、２０４・・・把持部、２０５・・・操作部、２０５ａ・・・ボタン、２０６・・・吸引管、２０７・・・吸引ノズル、３１１・・・コアバック部、３１２・・・ティース部、４１１・・・筒状部、４１２・・・上蓋部、４１２ａ・・・軸受保持部、４１３・・・窓部、１２２１・・・天板部、１２２２・・・環状部、１２２２ａ・・・内周壁、１２２２ｂ・・・外周壁、１２２２ｃ・・・隙間部、１２２２ｄ・・・窓部、１２２３・・・凸部、１２２３ａ・・・凹部、Ｂｄ・・・締結方向、Ｃ・・・中心軸、Ｆ・・・床面
【図１】
2019129543.tif 000003
【図２】
2019129543.tif 000004
【図３】
2019129543.tif 000005
【図４】
2019129543.tif 000006
【図５】
2019129543.tif 000007
【図６】
2019129543.tif 000008
【図７】
2019129543.tif 000009
【図８】
2019129543.tif 000010
【図９】
2019129543.tif 000011
【図１０】
2019129543.tif 000012
【図１１】
2019129543.tif 000013